(57)【特許請求の範囲】
【請求項１】
電子機器であって、
開位置と閉位置との間で移動可能なカバーと、
前記カバーの移動にともなって動く可動部と、
前記可動部に係合し前記可動部の動きの抵抗となる第１の位置と、前記可動部との係合が解消される第２の位置との間を、電子機器の姿勢変化に応じて移動するように支持されているダンパー部材と、を備え、
前記ダンパー部材は前記可動部に係合するギア部を有し、前記第１の位置と前記第２の位置との間で移動するように前記ギア部から離れて位置する軸部によって支持されている、
ことを特徴とする電子機器。
【請求項２】
電子機器であって、
開位置と閉位置との間で移動可能なカバーと、
前記カバーの移動にともなって動く可動部と、
前記可動部に係合し前記可動部の動きの抵抗となる第１の位置と、前記可動部との係合が解消される第２の位置との間を、電子機器の姿勢変化に応じて移動するように支持されているダンパー部材と、
前記可動部として機能する第１の可動部と、
前記カバーの移動に連動し、且つ前記カバーの単位移動距離に対する動き量が前記第１の可動部よりも小さい第２の可動部と、を備え、
前記ダンパー部材は第２の位置において第２の可動部に係合している、
ことを特徴とする電子機器。
【請求項３】
請求項２に記載の電子機器において、
前記第１の可動部として機能する第１のギアと、
前記第２の可動部として機能し、前記カバーの単位移動距離に対する回転量が前記第１のギアよりも小さい第２のギアと、
を備えることを特徴とする電子機器。
【請求項４】
請求項３に記載の電子機器において、
前記カバーを移動させる弾性力を発揮する弾性部材をさらに備え、
前記第１のギアと前記第２のギアの少なくとも一方は前記弾性部材の弾性力を前記カバーに伝えるギアである、
ことを特徴とする電子機器。
【請求項５】
電子機器であって、
開位置と閉位置との間で移動可能なカバーと、
前記カバーの移動にともなって動く可動部と、
前記可動部に係合し前記可動部の動きの抵抗となる第１の位置と、前記可動部との係合が解消される第２の位置との間を、電子機器の姿勢変化に応じて移動するように支持されているダンパー部材と、
前記カバーが開位置と閉位置との間にあるときに前記ダンパー部材の第１の位置と第２の位置との間での移動を規制するストッパ部と、
を備えることを特徴とする電子機器。
【請求項６】
請求項５に記載の電子機器において、
前記ダンパー部材は被係止部を含み、
前記ストッパ部は前記カバーに形成され、
前記ストッパ部は、前記カバーが閉位置から開位置に移動するときに、前記ダンパー部材が前記第１の位置に配置されているときの前記被係止部の位置と、前記ダンパー部材が前記第２の位置に配置されているときの前記被係止部の位置との間に進入する、
ことを特徴とする電子機器。
【請求項７】
請求項５又は６に記載の電子機器において、
前記可動部として機能するギアを含み、
前記ギアは前記閉位置から前記開位置に向けた前記カバーの移動によって第１の方向に回転し、
前記ダンパー部材は、前記ギアの第１の方向の回転によって前記ギアから離れる方向の力を受ける、
ことを特徴とする電子機器。
【請求項８】
請求項１に記載の電子機器において、
前記ダンパー部材は、前記軸部から離れた位置に、錘部を有し、
前記錘部は、その自重により、前記ダンパー部材を前記可動部に近づける、
ことを特徴とする電子機器。
【請求項９】
請求項５に記載の電子機器において、
前記カバーが開位置にあるときに前記電子機器に姿勢によらず前記ダンパー部材を前記第１の位置から前記第２の位置に案内するガイド機構をさらに備える、
ことを特徴とする電子機器。
【発明の詳細な説明】
【技術分野】
【０００１】
本発明は開閉可能なカバーを備える電子機器に関する。
【背景技術】
【０００２】
従来、光ディスクなどの可搬型記録媒体に格納されたデータを再生したり、可搬型記録媒体に格納されたプログラムを実行する電子機器が利用されている（例えば、特許文献１）。特許文献１の電子機器には、記録媒体を挿入するためのスロットが設けられている。また、特許文献１の電子機器は、縦置きでの使用と横置きでの使用の双方が想定されている。
【先行技術文献】
【特許文献】
【０００３】
【特許文献１】米国特許第７６８７７１１号明細書
【発明の概要】
【発明が解決しようとする課題】
【０００４】
スロットを有する電子機器は、その内部に、スロットに挿入された記録媒体を電子機器内に搬送するローディング機構を必要とする。このような機構は、モータなど比較的高価な部品を含むため、電子機器のコストを増す要因となっている。この点、開閉可能なカバーで記録媒体の読み取り位置を覆い、ユーザがカバーを開くことにより記録媒体を読み取り位置に直接設置できるようにすれば、モータなどの部品が必要なくなる。
【０００５】
ところが、縦置きでの使用と横置きでの使用の双方が想定されている電子機器においては、縦置き時と横置き時とではカバーに作用する重力の向きが異なる。そのため、電子機器の一方の姿勢においてカバーが緩やかに開く場合でも、他方の姿勢においては緩やかな開きが実現され難くなる。
【０００６】
本発明の目的は電子機器の姿勢変化によることなくカバーの緩やかな開きを実現できる電子機器を提供することにある。
【課題を解決するための手段】
【０００７】
本発明に係る電子機器は、開位置と閉位置との間で移動可能なカバーと、前記カバーの移動にともなって動く可動部と、前記可動部に係合し前記可動部の動きの抵抗となる第１の位置と、前記可動部との係合が解消される第２の位置との間を、電子機器の姿勢変化に応じて移動するように支持されているダンパー部材と、を備える。
【０００８】
本発明によれば、電子機器の姿勢変化によることなくカバーの緩やかな開きを実現できる。
【図面の簡単な説明】
【０００９】
【図１】本発明の一実施形態に係る電子機器を示す図である。この図において（ａ）は平面図であり、（ｂ）は正面図である。
【図２】電子機器の前部の平面図である。この図においてフロントカバーは取り外されており、操作部材が示されている。
【図３】電子機器が備える上ハウジングの裏側を示す図である。
【図４】図３に示すＩＶ−ＩＶ線での断面図である。図４（ｂ）は図４（ａ）のＩＶＢで示す部分の拡大図である。
【図５】操作部材と、スライドカバーと、回転部材の位置関係を示す図である。
【図６】回転部材の動きを説明するための図である。この図において（ａ）及び（ｂ）は手動でスライドカバーが開けられるときの動きを示し、（ｃ）は手動でスライドカバーが閉じられるときの動きを示している。
【図７】回転部材の動きを説明するための図である。この図において（ａ）及び（ｂ）は操作部材の操作によりスライドカバーが開けられるときの動きを示し、（ｃ）は手動でスライドカバーが閉じられるときの動きを示している。
【図８】電子機器の前部の平面図である。この図においてはフロントカバーが取り外され、スライドカバーの駆動機構が示されている。
【図９】上ハウジングの裏側から駆動機構を臨む図である。
【図１０】駆動機構の正面図である。この図では、電子機器が縦置きされているときに配置される位置にあるダンパーが示されている。
【図１１】駆動機構の正面図である。この図では、電子機器が横置きされているときに配置される位置にあるダンパーが示されている。
【図１２】駆動機構の正面図である。この図では、電子機器が縦置きされている状態でスライドカバーが動く様子が示されている。
【図１３】駆動機構の正面図である。この図では、電子機器が横置きされている状態でスライドカバーが動く様子が示されている。
【図１４】ダンパーの変形例を示す図である。
【図１５】スライドカバーの変形例を示す図である。この図のスライドカバーはガイド機構を有している。
【図１６】ガイド機構の動作を説明するための図である。この図では、スライドカバーが開位置に達する直前の状態にあるダンパー及びガイド機構が示されている。
【図１７】ガイド機構の動作を説明するための図である。この図では、スライドカバーが開位置に配置されている状態でのダンパー及びガイド機構が示されている。
【発明を実施するための形態】
【００１０】
以下、本発明の一実施形態について図面を参照しながら説明する。図１は本発明の実施形態に係る電子機器を示す図である。この図において（ａ）は平面図であり、（ｂ）は正面図である。以下の説明において、図１に示すＸ１及びＸ２はそれぞれ左方向及び右方向であり、Ｙ１及びＹ２はそれぞれ前方及び後方であり、Ｚ１及びＺ２はそれぞれ上方及び下方である。
【００１１】
電子機器１は本体２を有している。本体２は下ハウジング３と上ハウジング２０とを含み、これらは上下方向に組み合わされて、電子機器１が備える回路基板等を収容するハウジングを構成している。この例の電子機器１は光ディスクＭに格納された動画像データを再生したり、光ディスクＭに格納されたプログラムを実行する装置である。上ハウジング２０の上側には光ディスクＭを載置するためのディスク配置領域（光ディスクＭの読み取り位置）が規定されている。例えば、上ハウジング２０は光ディスクＭに対応した形状の凹部を有し、この凹部がディスク配置領域として機能する。電子機器１はスライドカバー１１を有している。この例のスライドカバー１１は板状のカバーである。スライドカバー１１は、上ハウジング２０のディスク配置領域を覆う閉位置（図１（ａ）において実線で示されるスライドカバー１１の位置）と、ディスク配置領域を露出させる開位置（図１（ａ）において二点鎖線で示されるスライドカバー１１の位置）との間でスライド可能となっている。この例では、ディスク配置領域は上ハウジング２０の右側部分に設けられており、スライドカバー１１は上ハウジング２０の右側部分を覆っている。電子機器１は、その前部に、フロントカバー４を有している。フロントカバー４は、上ハウジング２０の前部に配置された、ユーザがスライドカバー１１を開くための操作部材５及び後述するスライドカバー１１の駆動機構Ｇ（図８）を覆っている。
【００１２】
図２は電子機器１の前部の平面図である。この図においてフロントカバー４は取り外され、操作部材５が示されている。スライドカバー１１の駆動機構Ｇは省略されている。図３は上ハウジング２０の裏側を示す図である。図４は図３に示すＩＶ−ＩＶ線での断面図である。図４（ｂ）は図４（ａ）のＩＶＢで示す部分の拡大図である。図５は操作部材５と、スライドカバー１１と、回転部材３１の位置関係を示す図である。図６及び図７は回転部材３１の動きを説明するための図である。後述するように、スライドカバー１１はユーザの手動操作と操作部材５の操作の双方によって開くことができる。また、スライドカバー１１はユーザの手動操作により閉じることができる。この説明で手動操作とは、ユーザがスライドカバー１１自体を押してスライドカバー１１を開閉する操作である。図６において（ａ）及び（ｂ）はユーザが手動でスライドカバー１１を開くときの回転部材３１の動きを示し、（ｃ）は手動でスライドカバー１１を閉じるときの回転部材３１の動きを示している。図７において（ａ）及び（ｂ）は操作部材５の操作によりスライドカバー１１を開くときの回転部材３１の動きを示し、（ｃ）は手動でスライドカバー１１を閉じるときの動きを示している。
【００１３】
図２に示すように、電子機器１は操作部材５を有している。操作部材５はユーザがスライドカバー１１を開くための開ボタンとして機能する。操作部材５はその端部に前方に突出する操作部５ａを有している。操作部５ａは電子機器１の前面に設けられている（図１参照）。後述するように、ユーザはこの操作部５ａを押すことで、スライドカバー１１を開くことができる。
【００１４】
図２に示すように、この例の操作部材５は平面視で略Ｌ字形状を有している。すなわち、操作部材５は、その前部に位置し、左右方向に細長い前延伸部５ｂと、前延伸部５ｂの端部から後方に伸びる後延伸部５ｃとを有している。操作部５ａは後延伸部５ｃとは反対側の端部に設けられている。操作部材５のこの形状により、電子機器１の左右方向の中心からオフセットした位置に設けられた後述する回転部材３１を操作部材５により動かすことができ、且つ、操作部５ａを電子機器１の左右方向の略中心に位置させることが可能となっている。
【００１５】
操作部材５は前後方向に動くようにガイドされている。この例では、図２に示すように、上ハウジング２０にはホルダー６が取り付けられている。ホルダー６は前延伸部５ｂが間に配置される一対のガイド壁部６ａを有している。図３に示すように、後延伸部５ｃは上ハウジング２０の裏面側まで伸びている。上ハウジング２０の裏面（下面）には、後延伸部５ｃの後端が内側に配置される一対のガイド壁部２２が形成されている。操作部材５はガイド壁部６ａ，２２によって前後方向に平行に動くようにガイドされる。ユーザが操作部５ａを押すと、操作部材５は後方に動く。なお、上ハウジング２０は、後延伸部５ｃの後方に、操作部材５の可動範囲を規定するストッパ２４を有している。
【００１６】
この例の上ハウジング２０は、図２に示すように、その前部に、ディスク配置領域が形成された上ハウジング２０の後側部分に比して低い位置に形成される前パネル部２０ｂを有している。前パネル部２０ｂは、その左右方向の中央部に、電子機器１の平面視で後方に凹んだ凹部２０ａを有している。上ハウジング２０は、凹部２０ａの縁から下がり且つ凹部２０ａの内側の空間を取り囲む前壁部２１を有している。ホルダー６はこの前壁部２１に取り付けられている。後延伸部５ｃは前壁部２１に形成された穴２１ａを通って上ハウジング２０の裏側まで伸びている（図４（ｂ）参照）。
【００１７】
図３に示すように、上ハウジング２０には回転部材３１が設けられている。回転部材３１は、上ハウジング２０の裏面に沿って配置され、スライドカバー１１の移動方向（左右方向）に対して直交する方向（上下方向）に沿った軸線回りで回転可能となっている。図５（ａ）に示すように、スライドカバー１１には当接部１２が設けられている。この例の当接部１２は、スライドカバー１１の前縁から下方に突出している。上述したように、スライドカバー１１は開位置と閉位置との間で左右方向にスライド可能となっている。そのため、当接部１２は、スライドカバー１１の移動に応じて、上ハウジング２０及び回転部材３１に対して相対的に左右方向に動く。回転部材３１は、スライドカバー１１が閉位置に配置されている状態で当接部１２の移動を規制するように当接部１２に当るストッパ部３２を有している。ストッパ部３２が当接部１２に当っている状態では、スライドカバー１１は閉位置から開位置に向けた移動が規制される。
【００１８】
図３に示すように、ストッパ部３２は回転部材３１の回転中心Ｃ１から離れた位置に形成されている。回転部材３１は複数のストッパ部３２を有し、これらは回転中心Ｃ１を中心とする周方向に等間隔で形成されている。この例の回転部材３１は略多角形であり、複数のストッパ部３２は多角形の角部にそれぞれ形成されている。特にこの例では、回転部材３１は正方形であり、４つのストッパ部３２を有している。回転部材３１は、ストッパ部３２が当接部１２によって押されることによって回転し、当接部１２の移動すなわちスライドカバー１１のスライドを許容する。
【００１９】
当接部１２は、スライドカバー１１がスライドすることにより、スライドカバー１１のスライド方向（左右方向）に沿った直線Ｌ１に沿って移動する（図５（ａ）参照）。後において詳説するように、回転部材３１は、当接部１２の移動方向と回転部材３１の回転中心Ｃ１を通る軸線とに直交する方向に移動可能となっている。この例の回転部材３１は前後方向に移動可能となっている。図４に示すように、上ハウジング２０の裏面側にはばね７が配置されている。回転部材３１はこのばね７によってその回転が抑えられている。詳細には、ばね７は引張ばねであり、回転部材３１を前方に付勢している。操作部材５は、回転部材３１の前方に位置し、回転部材３１に対向するストッパ押圧面（当接面）５ｄを有している。ストッパ押圧面５ｄは、後方に向くとともに、左右方向に沿って形成された平らな面である。回転部材３１は、図３に示すように、ばね７の弾性力によってストッパ押圧面５ｄに押し付けられる平らな面（以下において被押圧面）３１ａを有している。被押圧面３１ａがばね７の弾性力によってストッパ押圧面５ｄに押し付けられることによって、回転部材３１の回転は抑えられている。
【００２０】
この例では、回転部材３１の複数の辺（この例では４つの辺）のそれぞれが被押圧面３１ａとして機能している。被押圧面３１ａがストッパ押圧面５ｄに当っている状態で、ストッパ部３２は直線Ｌ１に沿った当接部１２の軌道に位置している。被押圧面３１ａの両端部にストッパ部３２が形成されている。そのため、直線Ｌ１に沿った当接部１２の軌道上には、ストッパ部３２が配置される２つの位置（図５（ａ）においてＰ１及びＰ２で示す位置）が規定される。被押圧面３１ａがストッパ押圧面５ｄに押し付けられている状態では複数のストッパ部３２のうち２つが２つの位置Ｐ１，Ｐ２にそれぞれ配置される。
【００２１】
図５（ａ）に示すように、被押圧面３１ａがストッパ押圧面５ｄに押し付けられている状態において、回転中心Ｃ１から被押圧面３１ａの端部（この例ではストッパ部３２）までの距離は、回転中心Ｃ１からストッパ押圧面５ｄまでの距離よりも大きい。そのため、ユーザが手動でスライドカバー１１を閉位置から開位置に向けて動かそうとすると、図６（ａ）に示すように、回転部材３１は、回転しながらばね７の弾性力に抗して後方に動く。すなわち、当接部１２はばね７の弾性力に抗して回転部材３１を回転させる。回転部材３１が回転すると、ストッパ部３２による当接部１２の移動規制、すなわちスライドカバー１１のロックが解消され、スライドカバー１１は開位置まで移動する（図６（ｂ））。
【００２２】
当接部１２に係合する位置（図６においてＰ１で示す位置）に配置されていたストッパ部３２は、回転部材３１の回転により、当接部１２の軌道上のもう一方の位置（図６においてＰ２で示す位置）まで移動する（以下において、Ｐ１を第１のストッパ位置とし、Ｐ２を第２のストッパ位置とする）。ストッパ部３２が第１のストッパ位置Ｐ１と第２のストッパ位置Ｐ２の中間の位置（図６（ａ）で示すストッパ部３２の位置）に達するまでは、被押圧面３１ａの端部とストッパ押圧面５ｄとの当接により回転部材３１は後方に変位するため、ばね７の弾性力は回転部材３１の回転に抗する力として作用する。ストッパ部３２が中間の位置を過ぎると、ばね７の弾性力は回転部材３１の回転を促す力として作用する。この例の回転部材３１は４つのストッパ部３２を有しており、回転部材３１はスライドカバー１１の１回の移動によって、９０度回転する。そのため、回転部材３１の回転が４５度に達するまでは、ばね７の弾性力は回転部材３１の回転に抗する力として作用する。そして、回転部材３１の回転が４５度を超えると、ばね７の弾性力は回転部材３１の回転を促す力として作用する。そして、その力により、当接部１２はストッパ部３２によってその移動方向に押し出される。
【００２３】
図５（ｂ）に示すように、ストッパ部３２はスライドカバー１１の当接部１２に当る当接面３２ａを有している。この例のストッパ部３２は回転部材３１の角部に形成された凹部であり、この凹部の内面がストッパ部３２として機能している。回転可能な回転部材３１によってスライドカバー１１の移動を規制する本実施形態の構造によれば、当接部１２の移動方向（左右方向）に対する当接面３２ａの角度を大きくできる。この例では、ストッパ部３２の当接面３２ａは、スライドカバー１１の当接部１２の移動方向に対して垂直に形成されている。その結果、スライドカバー１１が安定的に閉位置に保持され得る。後において詳説するように、スライドカバー１１が開位置から閉位置に戻るときにもばね７の弾性力が作用するように、各ストッパ部３２は２つの当接面３２ａ，３２ｂを有している。第１の当接面３２ａは、スライドカバー１１が閉位置から開位置に移動する時にスライドカバー１１の当接部１２に当り、第２の当接面３２ｂは、スライドカバー１１が開位置から閉位置に移動するときに当接部１２に当る。第２の当接面３２ｂも、スライドカバー１１の当接部１２の移動方向に対して垂直になるように形成されている。
【００２４】
上述したように、回転部材３１は、直線Ｌ１に沿った当接部１２の軌道に対して、当接部１２の移動方向に対して直交する方向（この例では、後方）に相対移動可能である。すなわち、回転部材３１は当接部１２の軌道から外れる方向に移動可能である。上ハウジング２０は、回転部材３１の回転を許容するとともに、回転部材３１を前後方向に案内するガイドを有している。詳細には、図４（ａ）に示すように、回転部材３１はその回転中心Ｃ１に軸部３３を有している。軸部３３は回転部材３１から上ハウジング２０に向けて突出している。図３及び図４（ａ）に示すように、上ハウジング２０は、上ハウジング２０の裏面から突出するガイド２３を有している。ガイド２３は軸部３３を取り囲むとともに前後方向に細長い。その結果、回転部材３１はガイド２３に沿って前後方向に移動する。
【００２５】
上述したように、操作部材５はユーザの操作により後方に動くように、換言すると、回転部材３１が当接部１２の軌道から外れる方向に動く。操作部材５は、操作部５ａがユーザによって押されると、ストッパ押圧面５ｄによって回転部材３１を後方に動かす。スライドカバー１１は、後述する駆動機構Ｇに設けられたばね５９（図８）によって開位置に付勢されている。この構造により、ユーザは手動操作だけでなく、操作部材５の操作によっても、スライドカバー１１を開けることができる。すなわち、図７（ａ）に示すように、操作部材５は、操作部５ａが押されると、当接部１２の軌道から回転部材３１を後方に移動させる。その結果、ストッパ部３２による当接部１２の移動規制が解消される。そして、スライドカバー１１はばね５９の作用により開位置に向けて移動する。なお、図４（ｂ）に示すように、操作部材５のストッパ押圧面５ｄが形成された部分とスライドカバー１１の当接部１２の位置は、上下方向においてずれている。図４（ｂ）においては、当接部１２はストッパ押圧面５ｄよりも低い位置に位置している。そのため、操作部材５が押され後方に移動した場合であっても、当接部１２は操作部材５に干渉しない。
【００２６】
上述したように、上ハウジング２０の裏面側には、回転部材３１を前方に付勢するばね７が配置されている。図４に示すように、回転部材３１は、その回転中心Ｃ１に、軸部３３とは反対側に突出する軸部３４を有している。ばね７の一端は軸部３４に引っ掛かっている。ばね７の他端は上ハウジング２０の前壁部２１に引っ掛かっている。この例では、前壁部２１には穴２１ｂが形成され、ばね７の他端はこの穴２１ｂの縁に引っ掛かっている。ばね７は軸部３４を前壁部２１に向けて引っ張っている。その結果、回転部材３１は前方に付勢され、操作部材５を初期位置に付勢している（ここで初期位置はユーザによって操作部５ａが押されない状態での操作部材５の位置である）。そのため、ユーザが操作部材５の操作部５ａの押圧を解除すると、操作部材５は初期位置に復帰する。なお、操作部材５には、軸部３４と当該操作部材５との干渉を避けるための凹部５ｅが形成されている（図５参照）。
【００２７】
回転部材３１に形成された複数のストッパ部３２は、回転部材３１の回転中心Ｃ１を中心とする周方向に沿って等間隔で配置されている。回転部材３１は回転中心Ｃ１に対して回転対称な多角形であり、複数のストッパ部３２は多角形の角部にそれぞれ形成されている。この例の回転部材３１は正方形であり、４つの角部のそれぞれにストッパ部３２を有している。正方形の４つの辺のそれぞれは上述した被押圧面３１ａとして機能している。各被押圧面３１ａの両端にストッパ部３２が位置している。そのため、スライドカバー１１の直線Ｌ１に沿った当接部１２の軌道上には、ストッパ部３２が配置される位置として、２つの位置（すなわち、第１ストッパ位置Ｐ１及び第２ストッパ位置Ｐ２）が規定され、各ストッパ部３２は、回転部材３１の回転により、この２つの位置に移動する。図５（ａ）では、閉位置に配置されているスライドカバー１１の当接部１２に当接する位置が第１のストッパ位置Ｐ１として示されている。第２のストッパ位置Ｐ２は、スライドカバー１１の閉位置から開位置への移動に伴って回転部材３１が回転した後に配置されるストッパ部３２の位置である。
【００２８】
回転部材３１が複数のストッパ部３２を有し、当接部１２の軌道上に２つのストッパ位置Ｐ１，Ｐ２が規定されることにより、スライドカバー１１を手動で開けた後に手動で閉じる場合と、操作部材５を押してスライドカバー１１を開けた後に手動でスライドカバー１１を閉じる場合のいずれにおいても、ばね７の弾性力はスライドカバー１１の開位置から閉位置への移動に抗する力として作用する。
【００２９】
図６を参照して、ユーザがスライドカバー１１を手動で開けた後に手動で閉じる場合について説明する。図６（ａ）及び（ｂ）に示すように、当初第１のストッパ位置Ｐ１に配置されていたストッパ部（図６において符号３２−１で示すストッパ部）は、当接部１２に押され、回転部材３１の反時計回りの回転により第２のストッパ位置Ｐ２に移動する。ライドカバー１１は開位置に移動する。その後、図６（ｃ）に示すように、スライドカバー１１が開位置から閉位置に移動しようとすると、当接部１２は再びストッパ部３２−１を押し、回転部材３１を時計回りに回転させる。この時、回転部材３１はストッパ押圧面５ｄの作用により、ばね７の弾性力に抗して一時的に後方に移動する。すなわち、ばね７の弾性力がスライドカバー１１の閉位置への移動に抗する力として作用する。回転部材３１がばね７の弾性力に抗して回転すると、ストッパ部３２−１は第１のストッパ位置Ｐ１に復帰する。なお、ストッパ部３２−１が第１のストッパ位置Ｐ１と第２のストッパ位置Ｐ２の中間の位置を越えると、ばね７の弾性力は回転部材３１の時計回りの回転を促す力として作用する。
【００３０】
図７を参照して、ユーザが操作部材５を押してスライドカバー１１を開けた後に手動操作でスライドカバー１１を閉じる場合について説明する。この場合、図７（ａ）及び（ｂ）に示すように、回転部材３１の後方への移動によりスライドカバー１１の移動は許容される。そのため、第１のストッパ位置Ｐ１に当初配置されていたストッパ部（図７において符号３２−１で示すストッパ部）は、スライドカバー１１が開位置に移動した後も、第１のストッパ位置Ｐ１の位置に留まる。図７（ｃ）に示すように、スライドカバー１１が開位置から閉位置に移動しようとすると、当接部１２は、第２のストッパ位置Ｐ２に当初配置されていたストッパ部（図７において符号３２−２で示すストッパ部）を押し、回転部材３１を時計回りに回転させる。この時、回転部材３１はストッパ押圧面５ｄの作用により、ばね７の弾性力に抗して一時的に後方に移動する。その後、ストッパ部３２−２は第１のストッパ位置Ｐ１に配置される。操作部材５の操作によるスライドカバー１１の開きと、手動操作によるスライドカバー１１の閉じとが繰り返される場合、回転部材３１は同一方向（この例では時計回り方向）に回転する。その結果、第１のストッパ位置Ｐ１と第２のストッパ位置Ｐ２に配置されるストッパ部３２は順番に入れ替わる。
【００３１】
回転部材３１は回転中心Ｃ１に対して回転対称な形状を有している。そのため、各ストッパ部３２は、図５（ｂ）に示すように、２つの当接面３２ａ，３２ｂを有している。スライドカバー１１が開位置から閉位置に移動する際には、当接部１２は第２の当接面３２ｂに当る。回転可能な回転部材３１によってスライドカバー１１の移動を規制する本実施形態の構造によれば、第１の当接面３２ａと同様に、ストッパ部３２が第２のストッパ位置Ｐ２に配置されている状態での第２の当接面３２ｂに対する当接部１２の移動方向（左右方向）に対する角度を大きくできる。
【００３２】
スライドカバー１１を動かす駆動機構について説明する。図８は電子機器１の前部の平面図である。この図においてはフロントカバー４が取り外され、スライドカバー１１の駆動機構Ｇが示されている。図９は上ハウジング２０の裏側から駆動機構Ｇを臨む図である。図１０から図１３は駆動機構Ｇの正面図である。
【００３３】
電子機器１は縦置きと横置きの双方が可能である。上述の図１（ｂ）では横置きされた電子機器１が示されている。この例の電子機器１は、縦置き時には、スライドカバー１１が覆うディスク配置領域が電子機器１の上部に位置するように配置される。この例の電子機器１は、その右側部分にディスク配置領域を有しているため、縦置き時には左側面が下側に位置する。後述するように、駆動機構Ｇはダンパー５５を有している。図１０は電子機器１が縦置きされ且つスライドカバー１１が閉位置にある状態でのダンパー５５が示されている。図１１は電子機器１が横置きされ且つスライドカバー１１が閉位置にある状態でのダンパー５５が示されている。図１２は電子機器１が縦置きされ且つスライドカバー１１が閉位置と開位置との間にある状態が示され、図１３は電子機器１が横置きされ且つスライドカバー１１が閉位置と開位置との間にある状態が示されている。なお、図１０及び図１２ではＸ１が重力の向きであり、図１１及び図１３ではＺ２が重力の向きである。
【００３４】
図１０に示すように、駆動機構Ｇは駆動ギア５１を含んでいる。駆動ギア５１にはばね５９が取り付けられている。ばね５９はねじりばねであり、スライドカバー１１を開位置に向けて付勢する弾性力（回転力）を発揮している。ばね５９の一端は駆動ギア５１に係合し、他端は上述したホルダー６に引っ掛かっている。ばね５９はスライドカバー１１が閉位置にある状態で駆動ギア５１をその回転方向（時計回り方向）に付勢している。スライドカバー１１の前縁にはラック１３が形成されている。駆動機構Ｇはラック１３に係合する最終ギア５４を含んでいる。最終ギア５４は駆動ギア５１の回転力を受けて、スライドカバー１１を開位置に向けて付勢している。
【００３５】
この例の駆動機構Ｇは２つのアイドルギア５２，５３を含んでいる。駆動ギア５１の回転力はこの２つのアイドルギア５２，５３を通して最終ギア５４に伝えられる。詳細には、駆動ギア５１の回転力は次のようにして最終ギア５４に伝えられる。図９に示すように、アイドルギア５２は、同軸上に配置され一体的に回転する第１ギア部５２ａと第２ギア部５２ｂとを含んでいる。この例では、第２ギア部５２ｂは第１ギア部５２ａよりも大径である。また、アイドルギア５３は、同軸上に配置され一体的に回転する第１ギア部５３ａと第２ギア部５３ｂとを含んでいる。第２ギア部５２ｂは第１ギア部５２ａよりも大径である。アイドルギア５２の第１ギア部５２ａは駆動ギア５１の第１ギア部５１ａに係合し、アイドルギア５２の第２ギア部５２ｂはアイドルギア５３の第１ギア部５３ａに係合している。最終ギア５４は、アイドルギア５３の第２ギア部５３ｂと係合する第１ギア部５４ａと、第１ギア部５４ａと同軸上に配置され第１ギア部５４ａと一体的に回転する第２ギア部５４ｂとを含んでいる。第２ギア部５４ｂはスライドカバー１１のラック１３に係合している。第２ギア部５４ｂは第１ギア部５４ａよりも大径である。なお、駆動機構Ｇは上ハウジング２０の前部に形成された凹部２０ａに配置されている（図８参照）。ギア５１〜５４をそれぞれ支持する軸部５１ｄ，５２ｄ，５３ｄ，５４ｄはハウジング２０に形成された前壁部２１と、ホルダー６とによって支持されている。
【００３６】
各ギア部５１ａ，５２ａ，５２ｂ，５３ａ，５３ｂ，５４ａ，５４ｂの歯数は、最終ギア５４の回転速度が駆動ギア５１の回転速度よりも速くなるように設定されている。すなわち、各ギア部５１ａ，５２ａ，５２ｂ，５３ａ，５３ｂ，５４ａ，５４ｂの歯数は、スライドカバー１１の単位移動距離に対する最終ギア５４の回転数が、当該単位移動距離に対する駆動ギア５１の回転数よりも多くなるように設定されている。
【００３７】
駆動機構Ｇはさらにダンパー５５を含んでいる。ダンパー５５はロータリダンパーであり、例えば、オイルが封入された本体５５ａと、本体５５ａ内で回転する回転体とを含んでいる。なお、ダンパー５５の構成はこれに限られない。例えば、ダンパー５５は、本体５５ａ内に、本体５５ａの内面に押し付けられた摩擦部を含む回転体を含んでもよい。ダンパー５５は本体５５ａ内の回転体の回転速度に応じた抵抗力を発揮する。
【００３８】
上述したように、最終ギア５４はスライドカバー１１のラック１３に係合しており、スライドカバー１１の移動にともなって回転する。ダンパー５５は２つの位置の間を移動するように支持されている（以下、第１のダンパー位置及び第２のダンパー位置とする）。第１のダンパー位置は、図１０及び図１２に示すように、ダンパー５５が最終ギア５４に係合し最終ギア５４の回転の抵抗（負荷）となる位置である。第２のダンパー位置は、図１１及び図１２に示すように、ダンパー５５と最終ギア５４との係合が解消される位置である。図９に示すように、最終ギア５４は上述したギア部５４ａ，５４ｂに加えて第３ギア部５４ｃを含んでいる。ダンパー５５は本体５５ａ内の回転体と連動するギア部５５ｂを含んでいる。ギア部５５ｂは最終ギア５４の第３ギア部５４ｃに係合している。これにより、ダンパー５５は第１のダンパー位置では最終ギア５４の回転の抵抗となる。この例では、ギア部５５ｂと回転体はいずれも軸部５５ｄを中心に回転する。
【００３９】
電子機器１は上述したように縦置きされる場合と横置きされる場合とがある。ダンパー５５は第１のダンパー位置と第２のダンパー位置との間を電子機器１の姿勢変化に応じて移動するように支持されている。具体的には、ダンパー５５は、縦置き状態でその自重により（すなわちＸ１方向の重力により）第１のダンパー位置に配置され、横置き状態でその自重により（すなわちＺ２方向の重力により）第２のダンパー位置に配置される。ダンパー５５は、ギア部５５ｂを回転可能に支持する軸部５５ｄから半径方向に離れた位置に軸部５５ｅを有している。ダンパー５５の本体５５ａは軸部５５ｅによって回転（揺動）可能に支持され、第１のダンパー位置と第２のダンパー位置との間を移動する（以下、軸部５５ｅを揺動軸部と称する）。揺動軸部５５ｅの位置は、電子機器１が横置きされている状態で軸部５５ｄの上側であり、電子機器１が縦置きされている状態で軸部５５ｄよりも上方である。揺動軸部５５ｅのこのレイアウトにより、電子機器１が横置きされている状態では、ダンパー５５はその自重により図１１に示す第２のダンパー位置に配置される。また、電子機器１が縦置きされている状態では、ダンパー５５はその自重により図１０に示す第１のダンパー位置に配置される。その結果、電子機器１が縦置きされている状態でスライドカバー１１が開かれるときに、スライドカバー１１の移動速度を抑えることができ、スライドカバー１１の緩やかな開きが実現され得る。
【００４０】
この例のダンパー５５は、図１１に示すように、第２のダンパー位置では駆動ギア５１に係合している。この例では、駆動ギア５１は第１ギア部５１ａに加えて第２ギア部５１ｂを含んでいる。ダンパー５５のギア部５５ｂは、第２のダンパー位置では、第２ギア部５１ｂに係合している。
【００４１】
ダンパー５５は本体５５ａが収容する回転体の回転速度、すなわちギア部５５ｂの回転速度に応じた大きさの抵抗力を発揮する。上述したように、各ギア部５１ａ，５２ａ，５２ｂ，５３ａ，５３ｂ，５４ａ，５４ｂの歯数は、スライドカバー１１の単位移動距離に対する最終ギア５４の回転数が、当該単位移動距離に対する駆動ギア５１の回転数よりも多くなるように設定されている。換言すると、駆動ギア５１の回転速度は最終ギア５４の回転速度よりも小さい。この構造によれば、電子機器１が縦置きされている場合と横置きされている場合のいずれにおいても、スライドカバー１１の緩やかな開きが実現され得る。
【００４２】
最終ギア５４はばね５９が発揮する回転力をスライドカバー１１に伝える経路の最終に位置するギアであり、駆動ギア５１は経路の最初に位置するギアである。そのため、スライドカバー１１の単位移動距離に対する最終ギア５４の回転数と、当該単位移動距離に対する駆動ギア５１の回転数との差を大きくすることが容易となっている。
【００４３】
駆動ギア５１と最終ギア５４は左右方向に離れて配置され、それらの間にダンパー５５のギア部５５ｂは配置されている。電子機器１が縦置きされている場合に駆動ギア５１は最終ギア５４から上方に離れて位置し、電子機器１が横置きされている場合に駆動ギア５１は最終ギア５４よりも下方に位置する。ギア部５５ｂは駆動ギア５１と最終ギア５４との間に位置し、電子機器１が横置きされている状態で揺動軸部５５ｅはギア部５５ｂの上側に位置する。ギア部５５ｂと揺動軸部５５ｅのこのレイアウトにより、ダンパー５５は、電子機器１の姿勢変化におうじて揺動軸部５５ｅを中心として回転し、駆動ギア５１と最終ギア５４とに選択的に係合する。
【００４４】
図１２に示すように、最終ギア５４が回転する時、最終ギア５４に係合しているギア部５５ｂの歯（最終ギア５４との接点Ｔ１）には最終ギア５４が回転する方向に応じた方向の力Ｆ１，Ｆ２が作用する。この例では、スライドカバー１１が閉位置から開位置に向けて移動するとき、最終ギア５４は反時計回り方向に回転し、ギア部５５ｂは力Ｆ１を受ける。反対に、スライドカバー１１が開位置から閉位置に向けて移動するとき、最終ギア５４は時計回り方向に回転し、ギア部５５ｂは力Ｆ１とは反対方向の力Ｆ２を受ける。この力Ｆ２はギア部５５ｂを最終ギア５４から離す方向の力としてダンパー５５に作用する。すなわち、力Ｆ２は、ダンパー５５の揺動軸部５５ｅの回転中心と接点Ｔ１とを結ぶ直線Ｇ１に対して垂直な方向の力成分Ｆ２ａを含む。この力成分Ｆ２ａはギア部５５ｂを最終ギア５４から離す方向（この例では反時計回り方向）にダンパー５５を回転させる力となる。なお、力Ｆ１は直線Ｇ１に対して垂直な方向の力成分Ｆ１ａを含む。この力成分Ｆ１ａは、ギア部５５ｂを最終ギア５４に近づける方向（この例では時計回り方向）に揺動軸部５５ｅを中心にダンパー５５を回転させる力となる。
【００４５】
図１２に示すように、スライドカバー１１はストッパ部１４を含んでいる。ストッパ部１４は、スライドカバー１１が開位置と閉位置との間にあるときにダンパー５５に当接し、第１のダンパー位置と第２のダンパー位置との間でのダンパー５５の移動を規制する。すなわち、ストッパ部１４は、ダンパー５５が第１のダンパー位置に配置されているときにギア部５５ｂが最終ギア５４から離れる方向へのダンパー５５の移動を抑える。この例では、ストッパ部１４は、スライドカバー１１の前縁にラック１３に沿って形成され、左右方向（スライドカバー１１の移動方向）に伸びている。ダンパー５５は揺動軸部５５ｅの半径方向に伸びる被ストッパアーム５５ｆを有している。この例の被ストッパアーム５５ｆは上方に伸びるとともに最終ギア５４側に傾斜している。被ストッパアーム５５ｆは、その端部に、ストッパ部１４に向かって屈曲した被係止部５５ｇを有している（図８参照）。ストッパ部１４は、スライドカバー１１が閉位置から開位置に移動するときに、ダンパー５５が第１のダンパー位置に配置されているときの被係止部５５ｇの位置と、ダンパー５５が第２のダンパー位置に配置されているときの被係止部５５ｇの位置との間に進入する。ダンパー５５が、図１２に示す第１のダンパー位置に配置されている場合、ストッパ部１４は被係止部５５ｇの下側に位置する。すなわち、被係止部５５ｇはストッパ部１４の上面に配置される。ダンパー５５が力Ｆ２を受けて最終ギア５４から離れる方向に回転しようとするとき、すなわちスライドカバー１１が開位置から閉位置に向けて移動するとき、被係止部５５ｇは図１２に示すＤ２方向に動こうとしてストッパ部１４の上面に当る。その結果、ダンパー５５のその回転はストッパ部１４によって規制される。反対に、ダンパー５５が力Ｆ１を受けて最終ギア５４に近づく方向に回転しようとするとき、すなわちスライドカバー１１が閉位置から開位置に向けて移動するとき、力Ｆ１は、被係止部５５ｇをストッパ部１４の上面から離す力（図１２に示すＤ１方向の力）として作用する。そのため、ストッパ部１４による回転の規制は作用しない。
【００４６】
ストッパ部１４はスライドカバー１１が閉位置にあるときにダンパー５５に当らないように形成されている。すなわち、図８及び図１０に示すように、スライドカバー１１が閉位置にあるときに被ストッパアーム５５ｆの被係止部５５ｇとストッパ部１４とが干渉しないように、ストッパ部１４の長さＬ３及びストッパ部１４の位置は設定されている。これにより、ダンパー５５は、スライドカバー１１が閉位置にあるときには第１のダンパー位置と第２のダンパー位置との間での移動が許容される。スライドカバー１１が閉位置と開位置との間にあるときには、ギア部５５ｂが最終ギア５４から離れる方向の回転、すなわち第２のダンパー位置に向けたダンパー５５の移動が規制される。
【００４７】
また、スライドカバー１１が開位置にあるときにも、被ストッパアーム５５ｆとストッパ部１４とが干渉しないように、ストッパ部１４の長さＬ３及び位置は設定されている。これにより、ダンパー５５は、スライドカバー１１が開位置にあるときには第１のダンパー位置と第２のダンパー位置との間での移動が許容される。
【００４８】
上述したように、最終ギア５４は、スライドカバー１１が開位置から閉位置に向けて移動するとき、時計回り方向に回転する。ダンパー５５は、最終ギア５４が時計回り方向に回転する時に、ギア部５５ｂが最終ギア５４から離れる方向の力Ｆ２を受ける。このようにスライドカバー１１が開位置から閉位置に移動するときにギア部５５ｂを最終ギア５４から離す力Ｆ２が生じるように、ダンパー５５は配置されている。具体的には、図１２に示すように、ダンパー５５の揺動軸部５５ｅは、接点Ｔ１でのギア部５５ｂと最終ギア５４との共通接線Ｌｃ１に対してギア部５５ｂ側に位置し、且つ、ギア部５５ｂと最終ギア５４の回転中心を通るＨ１に対して力Ｆ２の向きとは反対側に位置している。揺動軸部５５ｅのこのレイアウトにより、スライドカバー１１が開位置から閉位置に移動するときに力Ｆ２が生じる。操作部材５が押された場合、スライドカバー１１はばね５９の回転力を受けて閉位置から開位置に向けて移動する。スライドカバー１１を閉位置に移動するときに力Ｆ２が生じるようにダンパー５５を配置することで、ストッパ部１４とダンパー５５の被ストッパアーム５５ｆとの摩擦によりばね５９の回転力が減殺されることを抑えることができる。
【００４９】
図１３に示すように、ダンパー５５が第２のダンパー位置に配置されるとき、被ストッパアーム５５ｆの被係止部５５ｇはストッパ部１４の下面側に位置する。すなわち、第１のダンパー位置と第２のダンパー位置との間でのダンパー５５の回転角度は、被ストッパアーム５５ｆの被係止部５５ｇがスライドカバー１１のストッパ部１４の上面側と下面側とに移動する大きさに設定されている。これにより、図１２に示すように、ダンパー５５が第１のダンパー位置に配置されるときには、被係止部５５ｇはストッパ部１４の上面側に位置し、図１３に示すようにダンパー５５が第２のダンパー位置に配置されるときには、被係止部５５ｇはストッパ部１４の下面側に位置する。
【００５０】
図１３に示すように、ダンパー５５が第２のダンパー位置に配置された状態で駆動ギア５１が回転する時、駆動ギア５１に係合しているギア部５５ｂの歯（駆動ギア５１との接点Ｔ２）には駆動ギア５１の回転方向に応じた方向の力Ｆ３，Ｆ４が作用する。この例では、スライドカバー１１が閉位置から開位置に向けて移動するとき、駆動ギア５１は時計回り方向に回転し、ギア部５５ｂは力Ｆ３を受ける。反対に、スライドカバー１１が開位置から閉位置に向けて移動するとき、駆動ギア５１は反時計回り方向に回転し、ギア部５５ｂは力Ｆ３とは反対方向の力Ｆ４を受ける。力Ｆ４はギア部５５ｂを駆動ギア５１から離す方向の力としてダンパー５５に作用する。すなわち、力Ｆ４は、ダンパー５５の揺動軸部５５ｅの回転中心と接点Ｔ２とを結ぶ直線Ｇ２に対して垂直な方向の力成分Ｆ４ａを含む。この力成分Ｆ４ａはギア部５５ｂを駆動ギア５１から離す方向（この例では時計回り方向）に揺動軸部５５ｅを中心にダンパー５５を回転させる力となる。ダンパー５５が第２のダンパー位置に配置された状態では被ストッパアーム５５ｆの被係止部５５ｇはストッパ部１４の下面側に位置している。そのため、力成分Ｆ４ａにより被係止部５５ｇは図１３のＤ４方向に動こうとしストッパ部１４に押し付けられる。その結果、ダンパー５５の時計回り方向の回転は、ストッパ部１４の下面により規制される。なお、力Ｆ３は直線Ｇ２に対して垂直な方向の力成分Ｆ３ａを含む。この力成分Ｆ３ａは、ギア部５５ｂを駆動ギア５１に近づける方向（この例では反時計回り方向）に揺動軸部５５ｅを中心にダンパー５５を回転させる。その結果、被係止部５５ｇは図１３のＤ３方向に動こうとするため、ストッパ部１４による回転の規制は作用しない。
【００５１】
上述したように、ダンパー５５が第１のダンパー位置にある状態でスライドカバー１１が開位置から閉位置に向けて移動するとき、ダンパー５５を最終ギア５４から離す力成分Ｆ２ａがダンパー５５に作用する。また、ダンパー５５が第２のダンパー位置に配置されている状態でスライドカバー１１が開位置から閉位置に向けて移動するとき、ダンパー５５を駆動ギア５１から離す力成分Ｆ４ａがダンパー５５に作用する。この力成分Ｆ４ａがダンパー５５に作用する方向と力成分Ｆ２ａがダンパー５５に作用する方向は、互いに反対方向となっている。また、ダンパー５５が第２のダンパー位置に配置されている状態での被ストッパアーム５５ｆの被係止部５５ｇの位置は、ダンパー５５が第１のダンパー位置に配置されている状態での被係止部５５ｇの位置とは、ストッパ部１４を挟んで反対側である。この構造により、力成分Ｆ４ａによるダンパー５５の回転はストッパ部１４の一方の面（この例では下面）で規制され、力成分Ｆ２ａによるダンパー５５の回転はストッパ部１４の他方の面（この例では上面）で規制される。この例では、上述したように、力成分Ｆ２ａはダンパー５５を反時計回り方向に回転させようとする力であり、力成分Ｆ２ａによるダンパー５５の回転はストッパ部１４の上面で規制されている。また、力成分Ｆ４ａはダンパー５５を時計回り方向に回転させようとする力であり、力成分Ｆ４ａによるダンパー５５の回転はストッパ部１４の下面で規制されている。本実施形態では、力成分Ｆ４ａと力成分Ｆ２ａとが互いに反対方向にダンパー５５を回転させる力となるように、駆動ギア５１の回転方向と最終ギア５４の回転方向とが設定されている。具体的には、駆動ギア５１の回転方向と最終ギア５４の回転方向とが互いに反対方向となるように、駆動ギア５１から最終ギア５４に至る回転力の伝達経路に２つのアイドルギア５２，５３が配置されている。その結果、スライドカバー１１が開位置から閉位置に向けて移動するときに、最終ギア５４は反時計回り方向に回転し、アイドルギア５３は時計回り方向に回転し、アイドルギア５２は反時計回り方向に回転する。その結果、駆動ギア５１は時計回り方向に回転する。
【００５２】
以上説明したように、回転部材３１は、スライドカバー１１が閉位置にある状態でスライドカバー１１の当接部１２の相対移動を規制するように当接部１２に当接するストッパ部３２を有している。ストッパ部３２は回転部材３１の回転中心から離れた位置に形成され、回転部材３１はストッパ部３２が当接部１２によって押されることにより回転し当接部１２の相対移動を許容している。これにより、ストッパ部３２に形成された当接面３２ａが有する、当接部１２の移動方向（左右方向）に対する角度を大きくできる。その結果、スライドカバー１１を閉位置に安定的に保持できる。また、ユーザは必要に応じてスライドカバー１１を開くことができる。
【００５３】
当接部１２は左右方向において回転部材３１に対して相対移動可能であり、回転部材３１は、当接部１２の軌道に対して、当接部１２の移動方向に対して交差する方向（以上の例では、後方）に相対移動可能であり、後方に移動して当接部１２の軌道から外れる。また、操作部材５は回転部材３１を後方に動かすように設けられ、ばね５９は、スライドカバー１１を開位置に向けて付勢している。この構造によれば、ユーザは操作部材５の操作と手動の双方でスライドカバー１１を開けることができる。
【００５４】
回転部材３１のストッパ部３２は、当接部１２の相対移動を許容する回転部材３１の回転により、第１のストッパ位置Ｐ１と第２のストッパ位置Ｐ２とに移動可能である。第１のストッパ位置Ｐ１と第２のストッパ位置Ｐ２は当接部１２の軌道に設定されている。回転部材３１は、当該回転部材３１の回転中心を中心とする周方向に、複数のストッパ部３２を有している。これによれば、操作部材５の操作によるスライドカバー１１の開きと手動によるスライドカバー１１の閉じの双方を可能とし、且つ、スライドカバー１１を手動で閉じるときにも回転部材３１とばね７とを作用させることができる。
【００５５】
当接部１２は左右方向において回転部材３１に対して相対移動可能であり、回転部材３１のストッパ部３２は、当接部１２の相対移動を許容する回転部材３１の回転により第１のストッパ位置Ｐ１から第２のストッパ位置Ｐ２に移動可能であり、第１のストッパ位置Ｐ１と第２のストッパ位置Ｐ２の双方は、左右方向に沿った当接部１２の軌道に設定されている。これによれば、スライドカバー１１を手動で閉じるときにも回転部材３１とばね７とを作用させることができる。
【００５６】
ばね７は当接部１２の移動方向と回転部材３１の回転中心を通る軸線とに対して直交する方向（以上の例では前方）に回転部材３１を付勢し、操作部材５は回転部材３１に対して前方に位置するストッパ押圧面５ｄ（当接面）を有し、回転部材３１は、あるストッパ部３２（例えば図６で示すストッパ部３２−１）が第１のストッパ位置Ｐ１にある状態でストッパ押圧面５ｄに押し付けられる被押圧面３１ａと、当該ストッパ部３２が第２のストッパ位置Ｐ２にある状態でストッパ押圧面５ｄに押し付けられる被押圧面３１ａとを有している。これによれば、回転部材３１は、あるストッパ部３２が第１のストッパ位置Ｐ１にある状態と当該ストッパ部３２が第２のストッパ位置Ｐ２にある状態の双方において保持され得る。
【００５７】
電子機器１はダンパー５５を備えている。ダンパー５５は、最終ギア５４に係合し最終ギア５４の回転の抵抗となる第１のダンパー位置（図１０）と、最終ギア５４との係合が解消される第２のダンパー位置（図１１）との間を、電子機器の姿勢変化に応じて移動するように支持されている。これによれば、電子機器の姿勢変化によることなくスライドカバー１１の緩やかな開きを実現できる。
【００５８】
電子機器１はスライドカバー１１の移動に連動し、且つスライドカバー１１の単位移動距離に対する回転量が最終ギア５４よりも小さい駆動ギア５１を備え、ダンパー５５は第２のダンパー位置において駆動ギア５１に係合している。これによれば、電子機器１が縦置きされている場合と横置きされている場合のいずれにおいても、スライドカバー１１の開きが緩やかになる。
【００５９】
ダンパー５５が係合する最終ギア５４と駆動ギア５１は、スライドカバー１１を移動させる弾性力を発揮するばね５９の力をスライドカバー１１に伝えるギアである。これによれば、電子機器１の部品数を低減できる。
【００６０】
ダンパー５５は、最終ギア５４と駆動ギア５１との間に配置され、ダンパー５５が第１のダンパー位置にあるときに最終ギア５４に係合し、第２のダンパー位置にあるときに駆動ギア５１に係合するギア部５５ｂを有している。ダンパー５５は、ギア部５５ｂが最終ギア５４と駆動ギア５１との間で移動するように、ギア部５５ｂから離れて位置する揺動軸部５５ｅによって支持されている。これによれば、第１のダンパー位置と第２のダンパー位置との間でのダンパー５５の移動を可能とする構造が比較的簡単に実現され得る。
【００６１】
ダンパー５５は最終ギア５４に係合するギア部５５ｂを有し、第１のダンパー位置と第２のダンパー位置との間で移動するようにギア部５５ｂから離れて位置する揺動軸部５５ｅによって支持され、スライドカバー１１は、ダンパー５５に当接しギア部５５ｂが最終ギア５４から離れる方向にダンパー５５が回転するのを抑えるストッパ部１４を含み、ストッパ部１４は、スライドカバー１１が閉位置にあるときにはダンパー５５に当らないように形成されている。これによれば、スライドカバー１１が閉位置にあるときにはダンパー５５の移動が許容され、スライドカバー１１が閉位置と開位置との間にあるときには最終ギア５４とダンパー５５との係合が維持される。
【００６２】
最終ギア５４は閉位置から開位置に向けたスライドカバー１１の移動によって反時計回り方向に回転し、ダンパー５５は、最終ギア５４の反時計回り方向の回転によって最終ギア５４から離れる方向の力を受けるように配置されている。これによれば、スライドカバー１１を開けるときにスライドカバー１１を開く方向に付勢するばね５９の弾性力が減殺されることを、抑えることができる。
【００６３】
図１４はダンパー５５の変形例であるダンパー５５Ａを示す図である。図１４において、これまで説明した箇所と同一箇所には同一符号を付している。同図（ａ）はダンパー５５Ａ、及び駆動ギア５１等の正面図である。同図（ｂ）はダンパー５５Ａが備える被係止部５５ｇ及びストッパ部１４の断面図である。
【００６４】
図１４（ａ）に示すように、ダンパー５５Ａは、ダンパー５５Ａを揺動可能に支持する揺動軸部５５ｅから離れた位置に、錘部５５ｈを有している。錘部５５ｈは、その自重により、ダンパー５５Ａを最終ギア５４又は駆動ギア５１に近づける。すなわち、ダンパー５５Ａが第１のダンパー位置にあるとき、すなわち、電子機器１が縦置きされているとき、ダンパー５５Ａには錘部５５ｈの重さにより力Ｆ５ｂが作用する。力Ｆ５ｂはダンパー５５Ａを最終ギア５４に近づける力となる。また、ダンパー５５Ａが第２のダンパー位置にあるとき、すなわち電子機器１が横置きされているとき、ダンパー５５Ａには錘部５５ｈの重さにより力Ｆ５ａが作用する。力Ｆ５ａは、ダンパー５５Ａを駆動ギア５１に近づける力となる。錘部５５ｈの存在により、ダンパー５５Ａの動きがストッパ部１４によって規制されない状態、具体的には、スライドカバー１１が閉位置にある状態で、ダンパー５５Ａが駆動ギア５１又は最終ギア５４から離れることを抑えることができる。
【００６５】
錘部５５ｈは揺動軸部５５ｅからダンパー５５Ａの重心位置を遠ざける位置に形成されている。具体的には、図１４（ａ）に示すように、揺動軸部５５ｅから錘部５５ｈの重心までの距離Ｄ５は、揺動軸部５５ｅからダンパー５５Ａの回転体（具体的にはギア５５ｂ）の回転中心である軸部５５ｄまでの距離Ｄ６よりも大きい。また、この例では、錘部５５ｈは、軸部５５ｄと同様に、揺動軸部５５ｅよりも下方に位置している。
【００６６】
ダンパー５５Ａは、軸部５５ｄを挟んで互いに側に位置する突出部５５ｉ，５５ｊを有している。図１４（ａ）に示すように、錘部５５ｈは一方の突出部５５ｊの端部に形成されている。ダンパー５５Ａの重心位置は錘部５５ｈの存在により一方の突出部５５ｊ側にずれている。この例では、錘部５５ｈは、最終ギア５４の下方の位置に向けて突出する突出部５５ｊの端部から張り出している。より具体的には、錘部５５ｈは突出部５５ｊの端部の上側部分から張り出している。なお、錘部５５ｈは、ダンパー５５Ａの他の部分と同じ材料で形成されてもよいし、異なる材料で形成されてもよい。また、錘部５５ｈには、その重さを増すために、金属などで形成された別の部材（例えば螺子）が取り付けられてもよい。
【００６７】
錘部５５ｈを突出部５５ｊの端部の上側部分に形成することにより、電子機器１を横置きしているとき、すなわち、ダンパー５５Ａが、図１４（ａ）に示すように、第２のダンパー位置にあるときにダンパー５５Ａに作用するモーメントを大きくできる。その結果、ダンパー５５Ａが駆動ギア５１から離れることをより効果的に抑えることができる。例えば、電子機器１を横置きしている状態でスライドカバー１１を閉位置に移動した直後にスライドカバー１１を再び開位置に向けて移動させる場合、図１３に示す力成分Ｆ４ａによりダンパー５５Ａが駆動ギア５１から離れ、ダンパー５５Ａの被係止部５５ｇがストッパ部１４の上面に乗り上げる場合がある。錘部５５ｈの存在により、ダンパー５５Ａのそのような動きを抑えることが可能となる。
【００６８】
図１４（ｂ）に示すように、ストッパ部１４は、その端部側の上面に、ガイド面１４ａを有している。ガイド面１４ａは、ダンパー５５Ａの被係止部５５ｇをストッパ部１４の上面側に案内するよう傾斜している。具体的には、ガイド面１４ａはストッパ部１４の端部１４＿に向けて下がるように傾斜している。特にこの例では、ガイド面１４ａの高さは、ダンパー５５Ａが第１のダンパー位置と第２のダンパー位置の中間位置に配置されている場合であっても、ダンパー５５Ａがストッパ部１４の上面側に案内されるように設定されている。そのため、電子機器１が縦置きされている状態では、ダンパー５５Ａはより確実に第１のダンパー位置に配置される。
【００６９】
また、ダンパー５５Ａの被係止部５５ｇの下面には被ガイド面５５ｍが形成されている。被ガイド面５５ｍはストッパ部１４に向けて上昇するように傾斜している。このため、電子機器１が縦置きされている状態では、ダンパー５５Ａはストッパ部１４に乗り上げやすくなり、より確実に第１のダンパー位置に配置される。
【００７０】
図１５はスライドカバー１１の変形例であるスライドカバー１１Ａを示す図である。スライドカバー１１Ａはガイド機構Ｍを有している。図１６及び図１７はガイド機構Ｍの動作を説明するための図であり、これらの図にはスライドカバー１１Ａと上述のダンパー５５Ａとが示されている。図１６には、スライドカバー１１Ａが開位置に達する直前の状態にあるダンパー５５Ａ及びガイド機構Ｍが示されている。図１７にはスライドカバー１１Ａが開位置に配置されている状態のダンパー５５Ａ及びガイド機構Ｍが示されている。図１６（ａ）及び図１７（ａ）は正面図であり、図１６（ｂ）及び図１７（ｂ）は平面図であり、図１６（ｃ）及び図１７（ｃ）は、図１６（ｂ）及び図１７（ｂ）に示すｃ−ｃ線での断面図である。これらの図では、これまで説明した箇所と同一箇所には同一符号を付している。
【００７１】
ガイド機構Ｍは、ダンパー５５Ａが第１のダンパー位置に配置され（すなわち、電子機器１が縦置きされ）、且つ、スライドカバー１１Ａが開位置にあるときに、ダンパー５５Ａを重力に抗して第１のダンパー位置から第２のダンパー位置に案内する機構である。より具体的には、ガイド機構Ｍは、ダンパー５５Ａの被係止部５５ｇを、ダンパー５５Ａが第１のダンパー位置に配置されているときの位置（以下、第１被係止位置、この例ではストッパ部１４Ａの上面）から、ダンパー５５Ａが第２のダンパー位置に配置されているときの位置（以下、第２被係止位置、この例ではストッパ部１４Ａの下面）に案内する機構である。ガイド機構Ｍにより、スライドカバー１１Ａが開位置から閉位置に移動するときに、ダンパー５５Ａは第２のダンパー位置に配置される。上述したように、ダンパー５５Ａによる作用は、第２のダンパー位置よりも第１のダンパー位置で大きく働く。そのため、ダンパー５５Ａが第２のダンパー位置に配置されることにより、ユーザは比較的小さな力でスライドカバー１１Ａを閉じることができる。
【００７２】
図１５に示すように、スライドカバー１１Ａは、スライドカバー１１Ａの移動方向に延びるストッパ部１４Ａを有している。ストッパ部１４Ａは、スライドカバー１１Ａが開位置に近い位置にあるときに被係止部５５ｇが当る部分に、弾性アーム１４ｂを有している。弾性アーム１４ｂはガイド機構Ｍを構成している。弾性アーム１４ｂは、第１被係止位置に配置されている被係止部５５ｇによって押されて第２被係止位置に向けて弾性変形する。この例では、弾性アーム１４ｂの上面は、ストッパ部１４Ａの端部１４ｄに向けて高くなるように傾斜し、また、弾性アーム１４ｂは下方に弾性変形可能となっている。そのため、ダンパー５５Ａの被係止部５５ｇがストッパ部１４Ａの上面に配置されているとき、すなわち、ダンパー５５Ａが第１のダンパー位置に配置されているとき、弾性アーム１４ｂは被係止部５５ｇによって第２被係止位置に向けて押し下げられる。すなわち、弾性アーム１４ｂは、図１６（ａ）及び（ｃ）に示すＤ７の方向に弾性変形する。
【００７３】
また、弾性アーム１４ｂの下面は、ストッパ部１４Ａの端部１４ｄにむけて上昇するように傾斜している。そのため、スライドカバー１１Ａが開位置に達し、被係止部５５ｇがストッパ部１４Ａの端部１４ｄの位置を越えたとき、それまで被係止部５５ｇによって押し下げられていた弾性アーム１４ｂは上方に復帰し、被係止部５５ｇは弾性アーム１４ｂの下面側に位置することとなる（図１７（ａ）及び（ｃ）参照）。その結果、図１７（ａ）に示すように、ダンパー５５Ａは第１のダンパー位置から離れる。すなわち、ダンパー５５Ａのギア部５５ｂは最終ギア５４のギア部５４ｃから離れる。そして、スライドカバー１１Ａが開位置から閉位置に向けた移動を開始するとき、被係止部５５ｇは弾性アーム１４ｂの下面側に位置することとなる。すなわち、被係止部５５ｇは第２被係止位置に位置し、ダンパー５５Ａは第２のダンパー位置に配置される。
【００７４】
図１５に示すように、この例のガイド機構Ｍはさらにガイド１５を含んでいる。ガイド１５は、ストッパ部１４Ａに対してストッパ部１４Ａの延伸方向に位置している。すなわち、ガイド１５は、ストッパ部１４に対してスライドカバー１１の移動方向に位置している。図１７（ｃ）に示すように、ガイド１５は、ストッパ部１４Ａの端部１４ｄを越えた被係止部５５ｇに当接するガイド面１５ａを有している。ガイド面１５ａは第１被係止位置にある被係止部５５ｇを第２被係止位置に案内するよう傾斜している。すなわち、ガイド面１５ａは被係止部５５ｇを弾性アーム１４ｂの下面側に案内するよう傾斜している。この例では、ガイド面１５ａは、弾性アーム１４ｂ寄りの端部から反対側の端部に向けて下がるように傾斜している。スライドカバー１１Ａが開位置に達し、被係止部５５ｇがストッパ部１４Ａの端部１４ｄを越えガイド面１５ａに当ると、被係止部５５ｇはこのガイド面１５ａによって確実に弾性アーム１４ｂの下面側に案内され得る。
【００７５】
図１６（ｃ）に示すように、被係止部５５ｇは、その上面に、被ガイド面５５ｋを有している。被ガイド面５５ｋはガイド１５寄りの端部に向けて下がるように傾斜している。これにより、ガイド面１５ａによる被係止部５５ｇのガイドがより円滑に行われ得る。
【００７６】
なお、図１５から図１７に示すガイド機構Ｍは弾性アーム１４ｂとガイド１５とによって構成されているが、ガイド機構Ｍは必ずしも双方を備えていなくてもよい。例えば、弾性アーム１４ｂを備えていない場合でも、ガイド１５のガイド面１５ａをストッパ部１４Ａの下面側に湾曲させることにより、被係止部５５ｇをストッパ部１４Ａの下面側に案内できる。また、ガイド１５を備えていない場合でも、弾性アーム１４ｂの下方への弾性変形量を増すことにより、被係止部５５ｇを弾性アーム１４ｂの下面側に案内できる。
【００７７】
なお、本発明は以上説明した実施形態に限られず、種々の変更が可能である。
【００７８】
例えば、回転部材３１はスライドカバー１１に設けられ、当接部１２は上ハウジング２０に形成されてもよい。この場合、操作部材５は、当接部１２を回転部材３１に対して相対移動させてもよい。
【００７９】
また、ダンパー５５，５５Ａはスライドカバー１１に形成されたラック１３に直接係合してもよい。また、ダンパー５５は最終ギア５４に替えて、他のギア、アイドルギア５２，５３に係合してもよい。また、ダンパー５５は必ずしも駆動ギア５１に係合しなくてもよい。
【符号の説明】
【００８０】
１  電子機器、２  本体、５  操作部材、５ａ  操作部、５ｄ  ストッパ押圧面（当接面）、１１，１１Ａ  スライドカバー、１２  当接部、１３  ラック、１４，１４Ａ  ストッパ部、２０  上ハウジング、２３  ガイド、３１  回転部材、３１ａ  被押圧面、３２ａ，３２ｂ  当接面、３３，３４  軸部、５１  駆動ギア、５２，５３  アイドルギア、５４  最終ギア、５５，５５Ａ  ダンパー、５５ａ  軸部、５５ａ  本体、５５ｂ  ギア部、５５ｄ  軸部、５５ｅ  揺動軸部、５５ｆ  ストッパアーム、５５ｇ  被係止部、錘部５５ｈ、ガイド機構Ｍ。
【図１】
0005996242.tif 000002
【図２】
0005996242.tif 000003
【図３】
0005996242.tif 000004
【図４】
0005996242.tif 000005
【図５】
0005996242.tif 000006
【図６】
0005996242.tif 000007
【図７】
0005996242.tif 000008
【図８】
0005996242.tif 000009
【図９】
0005996242.tif 000010
【図１０】
0005996242.tif 000011
【図１１】
0005996242.tif 000012
【図１２】
0005996242.tif 000013
【図１３】
0005996242.tif 000014
【図１４】
0005996242.tif 000015
【図１５】
0005996242.tif 000016
【図１６】
0005996242.tif 000017
【図１７】
0005996242.tif 000018